(57)【要約】ミルベマイシン類およびアベルメクチン類を微生物により産生させた後に生じる培養ろ液などのミルベマイシン化合物またはアベルメクチン化合物含有工場廃水を効率的かつ安全に、そして低いランニングコストで処理することができる方法を提供する。ミルベマイシン化合物およびアベルメクチン化合物からなる群から選択される少なくとも１種を含有する工場廃水を活性汚泥処理することにより、ミルベマイシン化合物またはアベルメクチン化合物を除去することを特徴とする方法。【特許請求の範囲】
【請求項１】
ミルベマイシン化合物およびアベルメクチン化合物からなる群から選択される少なくとも１種を含有する工場廃水を活性汚泥処理することにより、ミルベマイシン化合物またはアベルメクチン化合物を除去することを特徴とする方法。
【請求項２】
ミルベマイシン化合物およびアベルメクチン化合物からなる群から選択される少なくとも１種を含有する工場廃水が、ミルベマイシン類およびアベルメクチン類からなる群から選択される少なくとも１種を含有する培養ろ液である、請求項１記載の方法。
【請求項３】
ミルベマイシン化合物およびアベルメクチン化合物からなる群から選択される少なくとも１種を含有する工場廃水が、ミルベマイシン類およびアベルメクチン類、ミルベマイシン類およびアベルメクチン類から誘導される化合物、ならびにミルベマイシン類およびアベルメクチン類の５−オキソ体およびエポキシ体からなる群から選択される少なくとも１種を含有する工場廃水である、請求項１記載の方法。
【請求項４】
ミルベマイシン類が、ミルベマイシンＡ３、ミルベマイシンＡ４、ミルベマイシンＤ、ミルベマイシンα１１、およびミルベマイシンα１４からなる群から選択される、請求項２または３に記載の方法。
【請求項５】
ミルベマイシン類が、ミルベマイシンＡ３、ミルベマイシンＡ４、またはミルベマイシンＡ３とミルベマイシンＡ４の混合物である、請求項２または３に記載の方法。
【請求項６】
アベルメクチン類が、アバメクチン、ドラメクチン、エプリノメクチン、およびイベルメクチンからなる群から選択される、請求項２または３に記載の方法。
【請求項７】
５℃〜３５℃の温度で活性汚泥処理する、請求項１〜６のいずれか１項記載の方法。
【請求項８】
５〜４８時間活性汚泥処理する、請求項１〜７のいずれか１項記載の方法。
【請求項９】
ｐＨ６〜８で活性汚泥処理する、請求項１〜８のいずれか１項記載の方法。
【発明の詳細な説明】
【技術分野】
【０００１】  本発明は、微生物培養によるミルベマイシン（Ｍｉｌｂｅｍｙｃｉｎ）類およびアベルメクチン（Ａｖｅｒｍｅｃｔｉｎ）類の生合成、ならびにこれらからの農薬、動物薬の製造によって生じる工場廃水、特に培養ろ液を活性汚泥を用いて処理する方法に関するものである。
【背景技術】
【０００２】  ミルベマイシン類およびアベルメクチン類は、ストレプトミセス属の微生物によって産生される１６員環マクロライド系抗生物質であり、殺虫、殺ダニ、駆虫活性を有することが知られている。ミルベマイシン類としては、例えば以下の表に示される化合物を挙げることができる。【０００３】
2006054738.tif 000002
【０００４】  また、アベルメクチン類としては、例えばアバメクチン（Ａｂａｍｅｃｔｉｎ）、ドラメクチン（Ｄｏｒａｍｅｃｔｉｎ）、エプリノメクチン（Ｅｐｒｉｎｏｍｅｃｔｉｎ）、およびイベルメクチン（Ｉｖｅｒｍｅｃｔｉｎ）などを挙げることができる。
これらのミルベマイシン類およびアベルメクチン類の生産は、ストレプトミセス属に属する細菌を培養し、菌体を培養液から分離し、産生されたミルベマイシン類またはアベルメクチン類を菌体から有機溶媒にて抽出した後、得られた目的化合物を含む物質を精製するなどの方法により行われている。また、このように細菌によって産生されたミルベマイシン類およびアベルメクチン類に対し基の導入、置換などを行って、各種半合成ミルベマイシン化合物およびアベルメクチン化合物の合成も行われている（特許文献１〜１１）。【０００５】  一方、培養液から菌体を分離した後の培養ろ液、ならびに産生されたミルベマイシン類およびアベルメクチン類から農薬および動物薬を製造する際に生じる廃水などの工場廃水は、ミルベマイシン類またはアベルメクチン類自体、ミルベマイシン類またはアベルメクチン類から農薬、動物薬として誘導される化合物、あるいは製造中間体などを含む廃棄物として処理する必要がある。このろ液や廃水には、産生されたミルベマイシン類またはアベルメクチン類のほか、ミルベマイシン類またはアベルメクチン類から誘導される化合物、あるいは製造中間体が含まれているため、魚毒性が高く、またＢＯＤ、ＣＯＤも高いため、そのまま実廃水として排出することができない。例えば、上記ミルベマイシンＡ３とミルベマイシンＡ４の混合物を産生するミルベマイシン産生菌を培養液から分離した後の培養ろ液は、８０ｍ３培養（力価３５００μｇ／ｍｌ）の培養規模で培養した場合に、ミルベマイシンＡ３／Ａ４混合物を約１５〜２０ｐｐｍ含み、そのＢＯＤは約６０，０００〜１１０，０００ｐｐｍであり、そのＣＯＤは、約５０，０００〜１００，０００ｐｐｍである。上記ミルベマイシンＡ３とミルベマイシンＡ４の混合物では、スジエビ（Ｐａｌａｅｍｏｎ  ｐａｕｃｉｄｅｎｓ）を対象とした毒性試験で４８時間接触させた場合のＬＣ５０は、０．０１４ｐｐｍであり、その魚毒性は高いものである。したがって、このような魚毒性の高いろ液をそのまま排出することは、自然環境保護の面からはまったく不可能である。【０００６】  一方、有害物質を含有する廃水の処理方法としては、焼却方法による処理、抽出、吸着、ＵＶオゾン分解、アルカリ処理、熱処理などの操作を行う化学的・物理的方法による処理、または活性汚泥による処理が知られている。これらの処理については、上記のように高いＢＯＤ値を有する廃水の場合は、焼却方法による処理が一般的に行われているが、ランニングコストが高いという問題がある。このように、化学的・物理的方法による処理は、ランニングコストが高く、また、新規の処理設備を必要とするという問題があった。また、比較的ランニングコストが低く、工場廃水の処理に広く利用されている活性汚泥による処理には、次に述べるように、廃水に含まれるミルベマイシン化合物またはアベルメクチン化合物が活性汚泥に含まれる微生物の活性を阻害し、活性汚泥の活性を失わせてしまう恐れがある。そのため、直接に廃水処理をすることができず、それを克服するためには、必ずしも、ランニングコストが低くはない。また活性汚泥は温度による影響を受けやすいため、特に冬場の低温下では十分な処理活性を示さない恐れがあ���との技術的偏見があった。【０００７】  活性汚泥は、Ａｃｈｒｏｍｏｂａｃｔｅｒ、Ａｌｃａｌｉｇｅｎｅｓ、Ｂａｃｉｌｌｕｓ、Ｂａｃｔｅｒｉｕｍ、Ｃｏｒｙｎｅｂａｃｔｅｒｉｕｍ、Ｆｌａｖｏｂａｃｔｅｒｉｕｍ、Ｍｉｃｒｏｃｏｃｃｕｓ、Ｐｓｅｕｄｏｍｏｎａｓなどの細菌類、そして真菌類、藻類、原生動物、輪虫、線虫類などの原生動物などから構成される一つの生態系である。活性汚泥を構成する細菌などが水中に溶けている有機物を分解するため、活性汚泥が存在する水が浄化される。このため、活性汚泥は、水質浄化、下水処理などに広く活用されている。しかし、抗生物質を産生する微生物の培養ろ液などの廃水は、活性汚泥に含まれる微生物の活性を阻害し、活性汚泥の活性を失わせてしまうので、有効に水処理をすることができない。この問題を解決するために、処理水中の活性汚泥阻害物質を活性汚泥に吸着させて系外に除去した後に、活性汚泥で処理する方法も開発されている（特許文献１２）。しかし、この方法では、処理水を活性汚泥処理する設備のほか別途処理する設備も必要であり、経済的負担が大きいと考えられる。さらに、活性汚泥は温度による影響を受けやすいため、特に冬場の低温下では十分な処理活性を示さない恐れがある。【０００８】  上記のように、ミルベマイシン類およびアベルメクチン類の培養ろ液などの、ミルベマイシン化合物またはアベルメクチン化合物含有工場廃水を安全かつ効率的に処理することができ、更にランニングコストの低い処理方法が求められていた。しかし、上記の技術的偏見から、ミルベマイシン類およびアベルメクチン類を微生物により生合成させた後の培養ろ液などの工場廃水を活性汚泥で処理する技術は、従来まったく試みられていず、報告もされていない。
【特許文献１】特開昭５０−２９７４２号公報
【特許文献２】特開昭５５−１３１３９８号公報
【特許文献３】特開昭５６−３２４８１号公報
【特許文献４】特開平１−１９３２７０号公報
【特許文献５】特開昭６０−１４２９９１号公報
【特許文献６】特開平４−３０５５７９号公報
【特許文献７】特開平８−１９３０８５号公報
【特許文献８】特開平８−２０８６５７号公報
【特許文献９】特開平８−２５９５７０号公報
【特許文献１０】特開平９−１４３１８３号公報
【特許文献１１】特開２００２−１２５９５号公報
【特許文献１２】特開平７−１６５８９号公報
【発明の開示】
【発明が解決しようとする課題】
【０００９】  本発明者らは、ミルベマイシン類およびアベルメクチン類の培養ろ液などのミルベマイシン化合物またはアベルメクチン化合物含有工場廃水を効率的かつ安全に、さらにして低いランニングコストで処理する方法を求めて鋭意研究を行った。その結果、ミルベマイシン類およびアベルメクチン類を産生する微生物の培養ろ液などのミルベマイシン化合物またはアベルメクチン化合物含有工場廃水は、活性汚泥に含まれる微生物の活性を阻害し、活性汚泥の活性を失わせてしまう恐れがあるために直接に活性汚泥処理をすることができず、それを克服するためには必ずしもランニングコストが低くなく、また活性汚泥は温度による影響を受けやすいため、特に冬場の低温下では十分な処理活性を示さない恐れがあるとの技術的偏見を克服した。本発明者らは、活性汚泥を用いてミルベマイシン類およびアベルメクチン類の培養ろ液などのミルベマイシン化合物またはアベルメクチン化合物含有工場廃水を直接処理することにより、春〜秋の高温時ばかりでなく冬場の低温時においても効率的に廃水の処理ができ、上記目的を達成することができることを発見し、本発明を完成するにいたった。
【課題を解決するための手段】
【００１０】  本発明は、ミルベマイシン化合物およびアベルメクチン化合物からなる群から選択される少なくとも１種を含有する工場廃水を活性汚泥処理することにより、ミルベマイシン化合物またはアベルメクチン化合物を除去することを特徴とする方法に関する。
【発明の効果】
【００１１】  本発明の方法を用いることにより、ミルベマイシン化合物またはアベルメクチン化合物含有工場廃水を、春〜秋の高温時ばかりでなく冬場の低温時においても効率的かつ安全に、さらに低いランニングコストで処理することができる。特に本発明の方法は、ミルベマイシン類またはアベルメクチン類を微生物により産生させた後に生じるミルベマイシン類またはアベルメクチン類含有培養ろ液のほか、上記特許文献５〜１１などの文献に示すミルベマイシン類およびアベルメクチン類から誘導される農薬および動物薬を製造する際に生成する廃水の処理にも効率よく使用することができる。
【図面の簡単な説明】
【００１２】
【図１】ミルベマイシン化合物またはアベルメクチン化合物含有工場廃水を活性汚泥で連続処理する場合の装置の構成例を示す。
【発明を実施するための最良の形態】
【００１３】  本発明の方法によって処理することができる工場廃水に含まれるミルベマイシン化合物およびアベルメクチン化合物としては、微生物培養によって産生されるミルベマイシン類およびアベルメクチン類であれば任意のミルベマイシン類およびアベルメクチン類を挙げることができる。なかでも、ミルベマイシン類としては、ミルベマイシンＡ３、ミルベマイシンＡ４、ミルベマイシンＤ、ミルベマイシンα１１、およびミルベマイシンα１４からなる群から選択されるミルベマイシン類、特に、ミルベマイシンＡ３、ミルベマイシンＡ４、およびミルベマイシンＡ３とミルベマイシンＡ４の混合物を好ましいものとして挙げることができる。またアベルメクチン類としては、アバメクチン、ドラメクチン、エプリノメクチン、およびイベルメクチンなどを挙げることができる。また、微生物培養によって産生されるミルベマイシン類およびアベルメクチン類のほか、ミルベマイシン類またはアベルメクチン類から農薬、動物薬として誘導される化合物、あるいはミルベマイシン類またはアベルメクチン類の５−オキソ体またはエポキシ体なども、本発明の方法によって処理することができる工場廃水に含まれるミルベマイシン化合物およびアベルメクチン化合物として挙げることができる。このような化合物の例を以下に示す。下記の式中、Ｒ１は、水素、または−ＯＣＯ−ＣＨ＝Ｃ（ＣＨ３）２を表し；Ｒ２は、メチル、エチル、またはイソプロピルを表す。【００１４】
2006054738.tif 000003
【００１５】  本発明の方法によって処理することができるミルベマイシン化合物およびアベルメクチン化合物からなる群から選択される少なくとも１種を含有する工場廃水とは、ミルベマイシン化合物およびアベルメクチン化合物からなる群から選択される少なくとも１種を含有する廃水であれば任意の廃水である。例えばミルベマイシン類およびアベルメクチン類からなる群から選択される少なくとも１種を含有する培養ろ液；およびミルベマイシン類およびアベルメクチン類から誘導される農薬および動物薬を製造する際に生成する廃水などであって、ミルベマイシン類およびアベルメクチン類、ミルベマイシン類およびアベルメクチン類から誘導される化合物、ならびにミルベマイシン類およびアベルメクチン類の５−オキソ体およびエポキシ体などの製造中間体からなる群から選択される少なくとも１種などを含む工場廃水を挙げることができる。
ミルベマイシン類およびアベルメクチン類からなる群から選択される少なくとも１種を含有する培養ろ液とは、ミルベマイシン類またはアベルメクチン類産生能を有するストレプトミセス属の菌類を培養し、菌体を含むケーキを除去した後の培養ろ液である。この培養ろ液は、通常の培養条件下では、約１５〜２０ｐｐｍのミルベマイシン類またはアベルメクチン類を含有している。また、このようなろ液のＢＯＤ値は約６０，０００〜１１０，０００ｐｐｍであり、ＣＯＤ値は約５０，０００〜１００，０００ｐｐｍである。これらの数値が非常に高いものであるため、活性汚泥により処理する前に、活性汚泥により処理できる程度にまでＢＯＤ値およびＣＯＤ値を引き下げるために、ろ液を希釈しておく必要がある場合がある。希釈には、水を用いることができるが、特に毒性を有しないものであれば、工場などで一般に排出される雑廃水を用いることができる。希釈後のろ液に含まれるミルベマイシン類またはアベルメクチン類の濃度は、０．１６〜１０．７ｐｐｍの範囲であれば、効率よく処理することができる。ろ液を廃水として直接活性汚泥処理する場合には、ミルベマイシン類およびアベルメクチン類の濃度は、０．３ｐｐｍ以下であり、好ましくは、０．１〜０．２ｐｐｍである。
また、ミルベマイシン類およびアベルメクチン類から誘導される農薬および動物薬を製造する際に生成する廃水についても、上記の理由により、活性汚泥により処理する前に、活性汚泥により処理できる程度にまで希釈しておく必要がある。希釈後の廃水に含まれるミルベマイシン化合物またはアベルメクチン化合物の濃度は、０．１６〜１０．７ｐｐｍの範囲であれば、効率よく処理することができる。廃水を直接活性汚泥処理する場合には、ミルベマイシン化合物およびアベルメクチン化合物の濃度は、０．３ｐｐｍ以下であり、好ましくは、０．１〜０．２ｐｐｍである。【００１６】  本発明の方法に用いる活性汚泥微生物は、特に限定されるものではなく、廃水処理に一般的に用いられている活性汚泥微生物を用いることができる。例えば、Ｚｏｏｇｌｏｅａ属の微生物（Ｚｏｏｇｌｏｅａ  ｒａｍｉｇｅｒａなど）、Ｓｐｈａｅｒｏｔｉｌｕｓ  ｎａｔａｎｓ，Ｂｅｇｇｉａｔｏａ  ａｌｂａ、またはＴｈｉｏｐｌｏｃａ  ｓｐ．などの分裂菌類をあげることができ、好ましくは、Ｚｏｏｇｌｏｅａ属の微生物（特に、Ｚｏｏｇｌｏｅａ  ｒａｍｉｇｅｒａ）である。【００１７】  活性汚泥の使用濃度は、希釈後の廃水に含まれるミルベマイシン化合物またはアベルメクチン化合物の濃度、および処理温度によって変動する。この使用濃度は、通常、ミルベマイシン化合物またはアベルメクチン化合物０．１〜０．２ｐｐｍを含む、希釈後のろ液などの廃水に対して、４，０００〜１６，０００ｐｐｍであり得、好ましくは、６，０００〜１４，０００ｐｐｍであり、さらに好ましくは、８，０００〜１２，０００ｐｐｍである。なお、１６，０００ｐｐｍ以上の使用濃度でも、効率的に処理がされるが、経済性を考慮すると、１６，０００ｐｐｍ以下が適切である。【００１８】  本発明の処理温度は、通常、５℃〜３５℃であり得、好ましくは、８℃〜３０℃であり、さらに好ましくは、１０℃〜２５℃である。また、本発明の処理時間（滞留時間）は、処理温度によって変動するが、通常、５〜４８時間であり、好ましくは、１０〜３０時間であり、さらに好ましくは、１６時間〜２４時間である。なお、４８時間以上の使用時間でも、効率的に処理がされるが、経済性を考慮すると、４８時間以下が適切である。【００１９】  本発明の処理ｐＨ値は、ｐＨ６〜８、好ましくは、ｐＨ７である。また、溶存酸素量は、通常、０．１ｐｐｍ〜飽和溶存酸素量であり、好ましくは、０．２ｐｐｍ〜飽和溶存酸素量である。【００２０】  本発明の処理方法において、希釈後の培養ろ液などの廃水を活性汚泥で処理するには、通常の廃水活性汚泥処理に用いる設備および方法を用いることができる。処理条件としては、バッチ式処理および連続式処理のいずれも用いることができる。【００２１】  バッチ式処理については、例えば、ミルベマイシン化合物またはアベルメクチン化合物１５〜２０ｐｐｍを含有する培養ろ液などの廃水を、雑廃水で７５〜２００倍程度希釈して、ミルベマイシン化合物またはアベルメクチン化合物の含有濃度を０．１〜０．２ｐｐｍにする。希釈後の廃水に対して、通常、４，０００〜１６，０００ｐｐｍ（好ましくは、６，０００〜１２，０００ｐｐｍ、さらに好ましくは、８，０００ｐ��ｍ）の活性汚泥を用いて、通常５℃〜３５℃（好ましくは、８℃〜３０℃、さらに好ましくは、１０℃〜２５℃）で、通常、５〜４８時間（好ましくは、１６〜２４時間、さらに好ましくは２０〜２４時間）、溶存酸素が、通常、０．１ｐｐｍ〜飽和溶存酸素量（好ましくは、０．２ｐｐｍ〜飽和溶存酸素量）になるように、空気を吹き込みながら振とうすることにより行われる。【００２２】  一方、連続処理については、例えば、ミルベマイシン化合物またはアベルメクチン化合物を含有する培養ろ液などの廃水を、雑廃水で希釈して、ミルベマイシン化合物またはアベルメクチン化合物の含有濃度を０．１〜０．２ｐｐｍにする。活性汚泥処理槽に希釈後の廃水を満たし、希釈後の廃水に対する活性汚泥の濃度が、通常、４，０００〜１６，０００ｐｐｍ（好ましくは、６，０００ｐｐｍ〜１４，０００ｐｐｍ、さらに好ましくは、８，０００〜１２，０００ｐｐｍ）になるように、活性汚泥を活性汚泥処理槽に加え、所定の滞留時間になるように設定した注入速度で、希釈後の廃水を活性汚泥処理槽に連続的に注入する。活性汚泥処理槽内ではエアレーションがされているため、活性汚泥処理槽に注入された廃水は、エアレーションにより攪拌される。また、溶存酸素が、通常、０．１ｐｐｍ〜飽和溶存酸素量（好ましくは、０．２ｐｐｍ〜飽和溶存酸素量）になるように酸素補給も行われる。所定の時間（滞留時間）処理された廃水は、仕切り板の下部を通り抜けて活性汚泥処理槽からオーバーフローして、排出され、次に、接触酸化処理槽に送液されて以降の処理を受ける。温度は、恒温槽によって、通常５℃〜３５℃（好ましくは、８〜３０℃、より好ましくは、春〜秋の季節では２０℃〜２５℃、冬の季節では８℃〜１０℃）に維持される。処理（滞留）時間は、通常、５〜４８時間（好ましくは、１０〜３０時間、さらに好ましくは１６〜２４時間、特に春〜秋の季節では１６〜２０時間、冬の季節では２０〜２４時間）で活性汚泥処理を行う。また、処理（滞留）時間は、希釈後廃水の活性汚泥処理槽内への注入速度を調節することによって調節することができる。連続処理をする場合の装置の構成例を図１に示す。【００２３】  図１の装置の構成においては、希釈後の廃水である仕込水（１）が、ポンプ（２）で活性汚泥処理槽（３）に送られ、活性汚泥処理槽（３）において一定時間滞留し、そこで散気管（４）から空気が供給されるエアレーション下で活性汚泥による分解処理を受ける。その後、処理された廃水は、仕切り板（６）下を通過してオーバーフローして、接触酸化処理槽に送られる。また、活性汚泥処理槽（３）は、恒温槽（７）内に配置され、一定の温度に保持される。（１．仕込水；２．ポンプ；３．活性汚泥処理槽；４．散気管；５．温度計；６．仕切り板；７．恒温槽）【００２４】  上記のバッチ処理、連続式処理のいずれも、通常の廃水の活性汚泥処理を行う規模で行うことができる。【００２５】  上記の方法により培養ろ液などの廃水を活性汚泥処理することにより、ミルベマイシン化合物またはアベルメクチン化合物は、効率良く除去される。【００２６】  以下の実施例では、本発明の方法について詳細に説明する。
【実施例１】
【００２７】  バッチ式処理による活性汚泥処理
活性汚泥は、主に一般廃水（厚生廃水、雑廃水など）処理に使用されている余剰汚泥約２０，０００ｐｐｍのものを、濃度を希釈調整して用いた。
ミルベマイシンＡ３／Ａ４の培養ろ液を雑廃水で希釈し、ミルベマイシンＡ３／Ａ４の濃度を、０．１６ｐｐｍとした。【００２８】  なお、希釈液のＴＯＣ値は、７４７ｐｐｍであった。また、ミルベマイシンＡ３／Ａ４の濃度は、高速液体クロマトグラフィー［カラム：ＴＳＫ  ｇｅｌ  ８０Ｔｓ（４．６φ×７５ｍｍ）、島津製作所製、移動相：メタノール／水／トリエチルアミン／酢酸＝９２４／７５／１／１］を用いて測定し、ＴＯＣ値は、島津製作所製ＴＯＣ計（ＴＯＣ−５０００Ａ）を用いて燃焼−非分散形赤外線ガス分析法により測定した。【００２９】  上記で調製したミルベマイシンＡ３／Ａ４０．１６ｐｐｍの希釈液１００ｍｌを、３００ｍｌバッフル付三角フラスコに添加した。活性汚泥濃度が６０００ｐｐｍになるように、活性汚泥を加え、ｐＨを７に調整し、恒温槽付振とう機を用いて、溶存酸素が０．２ｐｐｍ以上になるように槽付振とうさせながら、２５℃で、２４時間活性汚泥処理をした。処理液を遠心分離して得られた上澄み液をデカンテーションにより活性汚泥から分離して、ミルベマイシンＡ３／Ａ４の濃度およびＴＯＣ値を測定し、得られた値から、除去率を求めた。【００３０】  上記と同じ条件で再度活性汚泥処理を行い、処理液の上澄み液のミルベマイシンＡ３／Ａ４の濃度およびＴＯＣ値を測定し、得られた値から、除去率を求めた。この操作を１週間毎日連続して繰り返した。【００３１】  次に、上記の毎日１週間連続して処理を繰り返し、分離した活性汚泥に、０．３４ｐｐｍのミルベマイシンＡ３／Ａ４含有希釈液１００ｍｌを添加した。これを用いて上記と同じ条件で活性汚泥処理を行い、処理液を遠心分離して得られた上澄み液のミルベマイシンＡ３／Ａ４の濃度およびＴＯＣ値を測定し、得られた値から、除去率を求めた。この操作を再度毎日１週間連続して繰り返した。【００３２】  更に１週間後ごとに、上記の分離した活性汚泥に、ミルベマイシンＡ３／Ａ４含有希釈液を添加して、ミルベマイシンＡ３／Ａ４の濃度を、それぞれ０．７５ｐｐｍ、１．３ｐｐｍ、６．９ｐｐｍおよび１０．７ｐｐｍにして、各濃度の希釈液を、上記再処理の操作と同様に処理して、各濃度の希釈液の活性汚泥処理後のミルベマイシンＡ３／Ａ４の濃度およびＴＯＣ値を測定し、得られた値から、除去率を求めた。【００３３】  また、処理温度１０℃で、ミルベマイシンＡ３／Ａ４濃度０．１６ｐｐｍの希釈液を、上記と同じ条件で活性汚泥処理を行い、処理後の上澄み液のミルベマイシンＡ３／Ａ４の濃度およびＴＯＣ値を測定し、除去率を求めた。【００３４】  処理前および処理後のミルベマイシンＡ３／Ａ４およびＴＯＣ値、ならびにそれぞれの除去率の、各処理前濃度ごとの平均値を表１に示す。【００３５】
【表１】
2006054738.tif 000004
【００３６】
【表２】
2006054738.tif 000005
【００３７】  上記の結果より、温度２５℃で、最大負荷１０．７ｐｐｍ濃度でもＴＯＣは９０％以上除去され、また基質であるミルベマイシンＡ３／Ａ４を１週間ごとに追加したことにより、活性汚泥によるミルベマイシンＡ３／Ａ４の除去率が上昇したことが示された。また、処理後の活性汚泥を顕微鏡下で観察したところ、糸状菌の発生、微生物の死骸の発生もなく、活性汚泥の状態が良好な場合に出現する釣鐘虫が群集の状態で確認され、汚泥のフロック（ｆｌｏｃｋ）もしっかりしていた。これらのことから、ミルベマイシンＡ３／Ａ４含有ろ液を活性汚泥で処理しても、活性汚泥への阻害性はないことが判明した。また、低温度１０℃で０．１６ｐｐｍのミルベマイシンＡ３／Ａ４を含有するろ液のみを処理した結果でも、ＴＯＣ除去率は、８７．３％、ミルベマイシンＡ３／Ａ４除去率は、９１．３％であり、低温のため処理能が若干低下していたが、活性汚泥への阻害は認められなかった。【００３８】  最終的に全ての濃度で処理した汚泥および処理水からの物質収支を見たところ、ミルベマイシンＡ３／Ａ４の全仕込量（１００％）に対し、全処理水中の回収ミルベマイシンＡ３／Ａ４量は２ｍｇであり（１．６％回収）、さらに最終活性汚泥中ミルベマイシンＡ３／Ａ４は０．０３ｍｇ（０．３％回収）であることから、活性汚泥中にミルベマイシンＡ３／Ａ４は蓄積していないことが確認され、ミルベマイシンＡ３／Ａ４の消失分は９８．１％であった。以上の結果より、ミルベマイシンＡ３／Ａ４が、活性汚泥の活性を阻害することなく、高温時ばかりでなく低温時においても、活性汚泥により生分解され、また活性汚泥によるミルベマイシンＡ３／Ａ４の処理活性は、処理工程の途中でミルベマイシンＡ３／Ａ４を追加フィードすることにより上昇することが認められた。
【実施例２】
【００３９】  連続式処理による活性汚泥処理
活性汚泥は、実施例１と同様のものを用いた。
ミルベマイシンＡ３／Ａ４濃度が０．１６ｐｐｍになるように培養ろ液を雑廃水で希釈して仕込水とし、仕込水のミルベマイシンＡ３／Ａ４の濃度およびＴＯＣ値を、実施例１と同様の方法を用いて測定した。活性汚泥処理槽（１．２４Ｌ）に対して活性汚泥濃度１０，０００ｐｐｍで処理を開始し、以降活性汚泥濃度を１０，０００〜１２，０００ｐｐｍに維持した。仕込水の活性汚泥処理槽への注入速度は、活性汚泥処理槽における滞留時間が春〜秋を想定した場合では２０時間（注入速度：０．０６２Ｌ／時間）、冬を想定した場合では２４時間（注入速度：０．０５２Ｌ／時間）になるように調整した。仕込水をポンプにより活性汚泥処理槽へと上記注入速度で送液し、ｐＨを７に調整して、溶存酸素が０．２ｐｐｍ以上になるように、エアーポンプで空気を注入することにより曝気しながら、一定温度で、連続活性汚泥処理をした。一定時間滞留後の処理水から、少量のサンプルを採取し、遠心分離して得られた上澄み液をデカンテーションにより分離して、ミルベマイシンＡ３／Ａ４の濃度およびＴＯＣ値を測定し、得られた値から、それぞれの除去率を求めた。処理は、春から秋に対応する温度である２０〜２５℃、および冬に対応する温度である８〜１０℃で行った。【００４０】  処理前および処理後のミルベマイシンＡ３／Ａ４濃度、ＴＯＣ値、およびそれぞれの除去率の平均を表３および表４に示す。【００４１】
【表３】
2006054738.tif 000006
【００４２】
【表４】
2006054738.tif 000007
【実施例３】
【００４３】  ミルベマイシン類を微生物により産生させ、産生されたミルベマイシン類から農薬および動物薬を製造した。その際に生じた、農薬および動物薬ならびにこれらを製造する際に生成する中間体を含む工場廃水を雑廃水で希釈して、これらの化合物全体として１または１０ｐｐｍを含む希釈水をそれぞれ調製した。これらの化合物の化学式を以下に示す。【００４４】
2006054738.tif 000008
【００４５】  上記希釈水２０Ｌを、２０Ｌ活性汚泥処理槽に加え、実施例１で使用したものと同じ活性汚泥を希釈水に対して１０，０００ｐｐｍの濃度で加えた。ｐＨを７に調整し、エアレーションにより溶存酸素を０．２ｐｐｍ以上に維持しながら、２０℃の温度で２４時間、バッチ処理を行った。処理後、処理水から活性汚泥を除去し、活性汚泥除去後の処理水中で、各群１０匹づつのヒメダカ（Ｏｒｙｚｉａｓ  ｌａｔｉｐｅｓ）を、温度２５℃で７２時間飼育した。また、処理前の希釈水（上記の化合物全体として１または１０ｐｐｍを含有する）中においても、ヒメダカを同じ条件下で飼育した。
７２時間後、上記化合物１０ｐｐｍを含む希釈水で飼育した群のヒメダカは全て死亡したが、活性汚泥処理した希釈水を含むいずれの群のヒメダカも全て生存しており、生存ヒメダカ群に異常は観察されなかった。また、これらの化合物を含む希釈水の処理前後のＢＯＤ値を自動ＢＯＤ測定装置（大倉電機社製）により測定したところ、処理によるＢＯＤ除去率は９５％以上であった。また、処理後の活性汚泥の状態を顕微鏡下で観察したところ、微生物の死骸は観察されず、これらの化合物が、活性汚泥に対して阻害を示さないことが認められた。
上記の結果、本発明の方法により、ミルベマイシン類から農薬および動物薬を誘導する際に生じる、ミルベマイシン化合物を含む工場廃水、そして中間体である５−オキソ体、エポキシ体を含む工場廃水の処理を効率的かつ安全に行うことができた。
【実施例４】
【００４６】  実施例３の、ミルベマイシンＡ３／Ａ４から製造した農薬および動物薬ならびにこれらの中間体を含む希釈廃水の代わりに、５−オキシム−ミルベマイシンＡ３／Ａ４  １０ｐｐｍを含む希釈廃水を用いて、実施例３と同じ条件下で２４時間活性汚泥処理を行った。その後、実施例３と同じ条件下、処理水中でヒメダカを飼育した。その結果、７２時間後、全てのヒメダカが生存していることが確認された。また、活性汚泥処理によるＢＯＤ除去率は、９５％以上であった。
【実施例５】
【００４７】  実施例３の、ミルベマイシンＡ３／Ａ４から製造した農薬および動物薬ならびにこれらの中間体を含む希釈廃水の代わりに、１４，１５−エポキシ−ミルベマイシンＡ３／Ａ４  １０ｐｐｍを含む希釈廃水を用いて、実施例３と同じ条件下で２４時間活性汚泥処理を行った。その後、実施例３と同じ条件下、処理水中でヒメダカを飼育した。その結果、７２時間後、全てのヒメダカが生存していることが確認された。また、活性汚泥処理によるＢＯＤ除去率は、９５％以上であった。
【実施例６】
【００４８】  実施例３の、ミルベマイシンＡ３／Ａ４から製造した農薬および動物薬ならびにこれらの中間体を含む希釈廃水の代わりに、５−ヒドロキシ−ミルベマイシンＡ３／Ａ４  １０ｐｐｍを含む希釈廃水を用いて、実施例３と同じ条件下で２４時間活性汚泥処理を行った。その後、実施例３と同じ条件下、処理水中でヒメダカを飼育した。その結果、７２時間後、全てのヒメダカが生存していることが確認された。また、活性汚泥処理によるＢＯＤ除去率は、９５％以上であった。
【産業上の利用可能性】
【００４９】  本発明の方法を用いることにより、ミルベマイシン類およびアベルメクチン類を微生物により産生させた後に生じる培養ろ液などのミルベマイシン化合物またはアベルメクチン化合物含有工場廃水を、効率的かつ安全に、そして低いランニングコストで処理することができる。
【図１】
2006054738.tif 000009
【国際調査報告】
2006054738.tif 000010
2006054738.tif 000011